(57)【要約】【課題】配管カバーを兼ねた水栓取付パネルを用いて水栓の取付位置を別の位置に変更するに際し、水栓取付パネル内部において、既設の給水取出口，給湯取出口と水栓の給水口，給湯口とを接続する接続配管を保温材で被覆施工しなくても、それら接続配管で生じる結露水が問題とならないようにする。【解決手段】天板部３０と、前板部３２と、下板部３４とを有し、取付壁Ｗとの間において内部に収納空間３６を形成するとともに前面に水栓１８の取り付けられる配管カバーを兼ねた水栓取付パネル１６と、収納空間３６内で給水取出口４０及び給湯取出口４１と水栓１８の給水口及び給湯口とを接続する接続配管３８とを含んで水栓取付装置を構成する。そしてその水栓取付パネル１６の下板部３４には、接続配管３８から落下する結露水をシンク１２に向けて排出する水抜孔６２を設けておく。【選択図】        図３
2004183352.tif 000002
【特許請求の範囲】
【請求項１】
（イ）既設の水栓の取り付けられた取付壁の側から前方に延び出す天板部と、該天板部の前端部より立ち下がる前板部と、該前板部の下端部から該取付壁に向って後向きに延びる下板部とを有し、該取付壁との間において内部に配管の収納空間を形成するとともに外面に水栓の取り付けられる配管カバーを兼ねた水栓取付パネルと
（ロ）前記取付壁の既設の給水取出口及び給湯取出口と、前記水栓取付パネルに取り付けられる水栓の、該給水取出口及び給湯取出口とは異なった位置の給水口及び給湯口とを接続する状態で前記収納空間内に収納される水及び湯の接続配管と
を有しており、且つ前記水栓取付パネルの前記下板部には前記接続配管から落下する結露水を該水栓取付パネルの下側のシンク，洗面ボウル等の水槽に向けて排出する水抜孔が設けてあることを特徴とする水栓取付装置。
【請求項２】
請求項１において、前記天板部と前板部と下板部とが一体に構成されていることを特徴とする水栓取付装置。
【請求項３】
請求項１，２の何れかにおいて、前記水栓取付パネルの前記下板部には、前記取付壁に近接した位置において上向きの立上り壁が形成してあり、該立上り壁が、前記結露水が前記取付壁に向うのを阻止する水止壁を成していることを特徴とする水栓取付装置。
【請求項４】
請求項３において、前記下板部には前記水抜孔より前側において、前記取付壁に接近するにつれて下方に移行する斜めの案内壁が設けてあり、落下した前記結露水を該案内壁にて前記水抜孔に向けて案内するようになしてあることを特徴とする水栓取付装置。
【発明の詳細な説明】
【０００１】
【発明の属する技術分野】
この発明は水栓取付装置に関し、詳しくはリフォーム用に用いて好適な水栓取付装置に関する。
【０００２】
【従来の技術及び発明が解決しようとする課題】
通常、キッチンには流し台の上方において水栓が後側の取付壁から前方に突き出す状態で設けられている。
ところでキッチンをリフォームしてシステムキッチン化したりする場合等において、当初の既設の小さな流し台が大きな流し台に取り変わったり或いは流し台の位置が変更したりする。
このとき水栓の取付位置も併せて変更する必要の生ずることが多い。
【０００３】
しかしながら、従来にあっては水栓の取付位置を変更することは容易ではないといった問題があった。
壁裏の配管の位置が固定であるために、水栓の取付位置を変更しようすると取付壁を削って配管工事からやり直さなければならず、水栓の取付施工が著しく大変なものとなってしまい、またコストも高いものとなってしまう。
【０００４】
このような中にあって、水栓の取付壁を削ったり配管工事をやり直したりしなくても、水栓の取付位置を変更可能とするものが提案されている。
図１０はこれを具体的に示したものである。
同図に示すようにここでは取付壁Ｗに設けられた既設の給水取出口２００，給湯取出口２０１に対して水，湯の長い接続配管２０４の一端部を、図１０（ロ）に示すようにエルボ２０２を介して接続し、そして接続配管２０４をキャビネット２０６内部に引き込んで各他端部を、カウンター２０８上に立設した水栓２０９の給水口，給湯口に対しキャビネット２０６内部で接続するようにしている。
【０００５】
この場合、長い接続配管２０４がキャビネット２０６上で外部に露出しないようにするため、それら接続配管２０４に沿って配管カバー２１０をＬ字状に設け、その配管カバー２１０内部の収納空間２２０（図１１（イ）参照）内に、それら接続配管２０４を収納するようにしている。
ここで配管カバー２１０は、図１１に示しているように下板部２１２が一体に構成された後板２１４と、天板２１６と、前板（前カバー）２１８の３つのパネルから成っている。
【０００６】
ところでこのようにした場合、配管カバー２１０内及びキャビネット２０６内で接続配管２０４に結露水が生じたとき、その結露水がキャビネット２０６内部に落下しないように、接続配管２０４に保温材を巻き付けて接続配管２０４を全長に亘り保温材で覆った状態としておかなければならない。
しかしながらその作業には多大の手間と時間を要し、ひいては水栓取付位置の変更施工のためのコストも高いものとなってしまう。
【０００７】
以上キッチンの水栓を例に述べたが、他の水栓例えば洗面化粧台上に設置される水栓等についても同様な問題が生じ得る。
【０００８】
尚、本願の先行技術として下記特許文献１に開示されたものがあるが、このものでは結露水の問題を解決することができない。
【０００９】
【特許文献１】
特開２００２−１２９６１２号公報
【００１０】
【課題を解決するための手段】
本発明の水栓取付装置はこのような課題を解決するために案出されたものである。
而して請求項１のものは、（イ）既設の水栓の取り付けられた取付壁の側から前方に延び出す天板部と、該天板部の前端部より立ち下がる前板部と、該前板部の下端部から該取付壁に向って後向きに延びる下板部とを有し、該取付壁との間において内部に配管の収納空間を形成するとともに外面に水栓の取り付けられる配管カバーを兼ねた水栓取付パネルと、（ロ）前記取付壁の既設の給水取出口及び給湯取出口と、前記水栓取付パネルに取り付けられる水栓の、該給水取出口及び給湯取出口とは異なった位置の給水口及び給湯口とを接続する状態で前記収納空間内に収納される水及び湯の接続配管とを有しており、且つ前記水栓取付パネルの前記下板部には前記接続配管から落下する結露水を該水栓取付パネルの下側のシンク，洗面ボウル等の水槽に向けて排出する水抜孔が設けてあることを特徴とする。
【００１１】
請求項２のものは、請求項１において、前記天板部と前板部と下板部とが一体に構成されていることを特徴とする。
【００１２】
請求項３のものは、請求項１，２の何れかにおいて、前記水栓取付パネルの前記下板部には、前記取付壁に近接した位置において上向きの立上り壁が形成してあり、該立上り壁が、前記結露水が前記取付壁に向うのを阻止する水止壁を成していることを特徴とする。
【００１３】
請求項４のものは、請求項３において、前記下板部には前記水抜孔より前側において、前記取付壁に接近するにつれて下方に移行する斜めの案内壁が設けてあり、落下した前記結露水を該案内壁にて前記水抜孔に向けて案内するようになしてあることを特徴とする。
【００１４】
【作用及び発明の効果】
以上のように本発明は、配管カバーを兼ねた水栓取付パネルの内部即ち収納空間に、既設の給水取出口，給湯取出口と、新たに設置される水栓の給水口，給湯口とを接続する接続配管を収納し、また水栓取付パネルの下板部には、その接続配管から落下する結露水を水栓取付パネルの下側のシンク等の水槽に向けて排出する水抜孔を設けたもので、かかる本発明によれば、配管カバーを兼ねた水栓取付パネル内の接続配管で結露水が生じた場合にも、その結露水を水抜孔を通じてシンク等水槽側に良好に排出することができる。
【００１５】
従って本発明によれば、結露水が生じるのを防止するために水栓取付パネル内部において接続配管に保温材を巻き付けてこれを被覆するといったことを行わなくても良く、従って多大な手間と時間とを要する接続配管への保温材の巻付作業を省略し得て施工を容易なものとすることができ、またこれに伴って施工コストも安価となすことができる。
【００１６】
本発明では、水栓の取付けに際して水栓の給水口，給湯口と、既設の給水取出口，給湯取出口とを接続配管で接続した後においてその接続配管を保温材で被覆する作業を省略することができることから、配管カバーを兼ねた水栓取付パネルを一体構造となすことができる（請求項２）。
即ち水栓取付パネルを一体構造となした場合においても、支障なく水栓の取付位置の変更作業を行うことができる。
【００１７】
保温材の巻付けが必要である場合には、図１１に示す装置のように水栓取付パネルを複数分割構成として保温材の巻付作業用の開口を形成しておき、保温材の巻付作業後においてその開口を、水栓取付パネルを分割して構成した化粧部材で閉鎖するといったことが必要となるが、保温材の巻付けが不要であればその必要が無いのである。
【００１８】
而して水栓取付パネルの天板部と、前板部と、下板部とを一体構成となすことによって、それらを分割構成とした場合のような各分割体の組付作業を不要化でき、また必要な部材数も少なくなるとともに、各部材に要するコストも低減化し得て、全体としての施工コストを更に低減することが可能となる。
また併せて分割体同士の組付作業を必要としないことから水栓の取付作業、即ち水栓位置の変更作業を更に容易化することができる。
【００１９】
請求項３は、取付壁に近接した位置において水栓取付パネルの下板部に上向きの立上り壁を形成し、かかる立上り壁にて、結露水が取付壁の側に向うのを阻止する水止壁となしたもので、このようになしておくことで、水栓取付パネルの収納空間内において、接続配管から落下した結露水が取付壁に達してその取付壁を伝い流下するのを防止することができる。
【００２０】
請求項４のものは、水抜孔より前側において下板部に、取付壁に接近するにつれて下方に移行する斜めの案内壁を設けたもので、この請求項４によれば、落下した結露水をその案内壁にて水抜孔に案内することで、結露水を良好に水抜孔を通じて排出することができる。
【００２１】
【実施例】
次に本発明の実施例を図面に基づいて詳しく説明する。
図１において、１０はシステムキッチンにおける流し台で、１２はシンク、１４はキャビネットである。
流し台１０には、取付壁Ｗ側の後端部に上向きに立ち上がるバックガード部１５が設けられている。このバックガード部１５は水返しとしてのものである。
このバックガード部１５の直上において、配管カバー兼用の水栓取付パネル１６が取付壁Ｗに接する状態で設けられている。
ここで水栓取付パネル１６は、アルミの押出材にて構成されている。
【００２２】
この水栓取付パネル１６の前面には水栓（ここではシングルレバー式水栓）１８が取り付けられている。
ここで水栓１８は、シンク１２の左右方向の中央部において水栓取付パネル１６に取り付けられている。
この水栓１８は水，湯の通路部材を兼ねた一対のクランク脚２０を有しており、それらにおいて水栓１８が水栓取付パネル１６の前面に取り付けられている。
【００２３】
２２は水栓１８における水栓本体で、その上部にレバーハンドル２４が設けられ、また水栓本体２２の下面からは先端に吐水口２６を有する吐水管２８がシンク１２に向けて前方に延び出している。
【００２４】
水栓取付パネル１６は、図３及び図７に示しているように取付壁Ｗ側から前方に水平に延び出す天板部３０と、天板部３０の前端部から下向きに立ち下がる前板部３２と、前板部３２の下端部から取付壁Ｗに向って後方に延びる下板部３４とを有している。
本例ではこれら天板部３０，前板部３２及び下板部３４が連続した一体構造物として構成されている。
【００２５】
この水栓取付パネル１６は、その内部において取付壁Ｗとの間に収納空間３６を形成しており、図２に示しているようにそこに曲げ変形の容易な水，湯の接続配管（ここでは銅管）３８が収容されている。
【００２６】
図２において４０，４１はそれぞれ取付壁Ｗに設けられた既設の給水取出口及び給湯取出口であり、それぞれに水，湯の接続配管３８の一端部が接続されている。
これら接続配管３８は水栓取付パネル１６内の収納空間３６を横向きに延び、各他端部がそれら給水取出口４０及び給湯取出口４１とは離れた位置にある水栓１８の給水口，給湯口にそれぞれ接続されている。
本例において、これら接続配管３８はそれぞれ収納空間３６内に露出状態で、即ちその外面が保温材にて被覆されない状態で配管されている。
【００２７】
図４にそれら一対の接続配管３８と給水取出口４０，給湯取出口４１及び水栓１８の給水口及び給湯口との接続構造が詳しく示してある。
同図に示しているように水栓１８における給水口及び給湯口としてのクランク脚２０の先端部は雄ねじ管２１とされていて、この雄ねじ管２１が、水栓取付パネル１６における前板部３２の貫通孔４２を貫通し、水栓取付パネル１６の内部においてそこにソケット金具４３がねじ結合されている。
【００２８】
そしてそのソケット金具４３に対し、接続配管３８における一方（図中左端）の端部金具４４が、ソケット金具４３への挿入状態で略リング状をなすばねクリップ４６によりワンタッチ接続されている。
一方給水取出口４０，給湯取出口４１にはニップル４８が取り付けられて、そのニップル４８にソケット金具４３がねじ結合され、そしてそのソケット金具４３の内部に接続配管３８における他方（図中右端）の端部金具４４が嵌入した状態で、それらがばねクリップ４６によりワンタッチ接続されている。
【００２９】
即ち接続配管３８の一端部がソケット金具４３を介してクランク脚２０の雄ねじ管２１に接続され、また他端部がソケット金具４３，ニップル４８を介して、取付壁Ｗに設けられた既設の給水取出口４０及び給湯取出口４１にそれぞれ接続されている。
尚図４において５０はパッキン、５２は座付ナット、５４は平パッキン、５６は菊座金、５８は固定ナットである。
【００３０】
図３及び図７に示しているように、水栓取付パネル１６における下板部３４には、流し台１０のバックガード部１５より前側且つバックガード部１５に近接した位置において、貫通の水抜孔６２が設けられている。
この水抜孔６２は、水栓取付パネル１６内部の収納空間３６内に収納された接続配管３８の結露水が下方に滴り落ちたときに、これをシンク１２に向けて排出するためのものである。
【００３１】
下板部３４は、この水抜孔６２より前側のほぼ全体が傾斜形状の案内壁３４ａとされている。
この案内壁３４ａは、前板部３２の下端部から取付壁Ｗに接近するにつれて下方に移行する斜め下向きの傾斜形状とされており、その傾斜形状に基づいて、図３に示しているように下方に落下した結露水を、この案内壁３４ａで受けて水抜孔６２に向けて案内する。
【００３２】
下板部３４にはまた、図７に示すようにこの水抜孔６２の後側の位置且つ取付壁Ｗの近接位置において、垂直上方に立ち上がる立上り壁６４が設けられている。
この立上り壁６４は水止壁として作用し、落下した結露水が取付壁Ｗに達するのを阻止して水抜孔６２から排出させる働きをなす。
【００３３】
この立上り壁６４の上部は、下向きの曲返し部６８とともに引掛部６６を成している。
そしてこの引掛部６６において、後述のバックハンガ金具７４の下端部（掛止部７８）に掛止されるようになっている（図９参照）。
【００３４】
一方、天板部３０の後端部にもまた下向きの曲返し部７０が設けられていて、その曲返し部７０の下端部に今一方の引掛部７２が設けられている。
水栓取付パネル１６は、この引掛部７２においても後述のバックハンガ金具７４の上端部（掛止部８０）に掛止される（図９参照）。
【００３５】
図５において、７４は取付壁Ｗに取り付けられたバックハンガ金具である。
これらバックハンガ金具７４は、取付壁Ｗに沿って所定間隔で複数配置されており、固定ビス７６によって取付壁Ｗに固定されている。
ここで各バックハンガ金具７４は、取付壁Ｗの後側の間柱に対応する位置においてそれぞれ取付壁Ｗに固定されている。
【００３６】
図６に示しているようにこれらバックハンガ金具７４は、下端よりやや上側の位置と上端位置とに掛止部７８，８０が設けられており、その掛止部７８に水栓取付パネル１６における引掛部６６が、また上端の掛止部８０に水栓取付パネル１６における引掛部７２がそれぞれ引掛状態で掛止されるようになっている。
【００３７】
バックハンガ金具７４には、その下端に前方への曲返し部から成る当接部８２が設けられており、この当接部８２を、流し台１０におけるバックガード部１５の上端面に当接させるようになっている。即ち各バックハンガ金具７４は、これら当接部８２をバックガード部１５の上面に当接させる状態で取付壁Ｗに固定されている。
【００３８】
本例の水栓取付装置においては、図８において先ず水栓取付パネル１６に水栓１８を取り付けておき、そしてその水栓１８の給水口と給湯口に対し、一対の接続配管３８の一端部を接続しておく。
そして各接続配管３８の他端部を、取付壁Ｗに予め設けてある既設の給水取出口４０及び給湯取出口４１に接続する。
【００３９】
その状態で水栓取付パネル１６を、水栓１８の取付状態で取付壁Ｗに予め固定してある複数のバックハンガ金具７４のそれぞれに掛止する。詳しくは、図９（Ａ），（Ｂ）に示しているように一対の引掛部６６，７２を複数のバックハンガ金具７４における各一対の掛止部７８，８０に掛止する。
【００４０】
このとき水栓取付パネル１６は正しく水平向きの姿勢でバックハンガ金具７４を介して取付壁Ｗに取り付けられる。
水栓取付パネル１６を支持すべき複数のバックハンガ金具７４の何れもが、その下端の当接部８２をバックガード部１５の上端面に当接させた状態（図３中拡大図参照）で取付壁Ｗに取り付けられているからである。
即ち各バックハンガ金具７４が何れも同一の高さ位置に位置合せされた状態で、取付壁Ｗに固定されているからである。
【００４１】
尚水栓取付パネル１６は、その取付状態において下端がバックガード部１５の上端位置とほぼ同じ位置となる。
立上り壁６４の高さ及び引掛部６６の位置が予めそのように定められている。
【００４２】
尚、水栓取付パネル１６はバックハンガ金具７４にこれを掛止した後において、図１に示しているようにその側面の開放部を側面キャップ８４にて閉鎖する。
【００４３】
かかる本例の水栓取付装置によれば、配管カバーを兼ねた水栓取付パネル１６内の接続配管３８で結露水が生じた場合にも、その結露水を水栓取付パネル１６の下板部３４に設けた水抜孔６２を通じてシンク１２側に良好に排出することができるので、結露水が生じるのを防止するために水栓取付パネル１６内部において接続配管３８に保温材を巻いてこれを被覆するといったことを行わなくても良く、従って多大な手間と時間とを要する接続配管３８への保温材の巻付作業を省略し得て施工を容易なものとすることができ、またこれに伴って施工コストも安価となすことができる。
【００４４】
また本例では水栓取付パネル１６の天板部３０と、前板部３２と、下板部３４とを一体構成となしてあるので、それらを分割構成とした場合と異なって各分割体の組付作業を不要化でき、また必要な部材数も少なくなるとともに、各部材に要するコストも低減化し得て、全体としての施工コストを更に低減することができる。
また併せて分割体同士の組付作業を必要としないことから、水栓１８の取付作業即ち水栓１８の取付位置の変更作業を容易に行うことができる。
【００４５】
また本例によれば、取付壁Ｗに近接した位置において水栓取付パネル１６の下板部３４に上向きの立上り壁６４を形成し、かかる立上り壁６４にて、結露水が取付壁Ｗの側に向うのを阻止する水止壁となしてあるので、水栓取付パネル１６の収納空間３６内において接続配管３８から落下した結露水が取付壁Ｗに達して、その取付壁Ｗを伝い流下するといった不都合を防止できる。
【００４６】
更に本例のものは、水抜孔６２より前側において取付壁Ｗに接近するにつれて下方に移行する斜めの案内壁３４ａを下板部３４に設けてあるので、落下した結露水をその案内壁３４ａにて水抜孔６２に案内し、水抜孔６２を通じて良好に排出することができる。
【００４７】
以上本発明の実施例を詳述したがこれはあくまで一例示であり、本発明はその趣旨を逸脱しない範囲において種々変更を加えた形態で構成可能である。
【図面の簡単な説明】
【図１】本発明の一実施例である水栓取付装置をシステムキッチンにおける流し台に取り付けた状態で示す斜視図である。
【図２】同実施例における水栓取付装置の要部の平面図である。
【図３】同実施例の水栓取付装置の側断面図である。
【図４】図３に示す水栓取付装置の分解図である。
【図５】同実施例のバックハンガ金具を固定状態で示す図である。
【図６】図５のバックハンガ金具を単品で示す図である。
【図７】同実施例における水栓取付パネルを単品で示す図である。
【図８】図２に示す水栓取付装置の取付手順の一工程を示す説明図である。
【図９】図８に続く工程の説明図である。
【図１０】従来の水栓取付装置を示す図である。
【図１１】図１０の配管カバーを示す図である。
【符号の説明】
１２  シンク
１６  水栓取付パネル
１８  水栓
３０  天板部
３２  前板部
３４  下板部
３４ａ  案内壁
３６  収納空間
３８  接続配管
４０  給水取出口
４１  給湯取出口
６２  水抜孔
６４  立上り壁
Ｗ  取付壁
【図１】
2004183352.tif 000003
【図２】
2004183352.tif 000004
【図３】
2004183352.tif 000005
【図４】
2004183352.tif 000006
【図５】
2004183352.tif 000007
【図６】
2004183352.tif 000008
【図７】
2004183352.tif 000009
【図８】
2004183352.tif 000010
【図９】
2004183352.tif 000011
【図１０】
2004183352.tif 000012
【図１１】
2004183352.tif 000013